【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
式（１）の構造を有するα，β−不飽和有機ケイ素化合物を含む組成物：
【化４２】
2016540087.tif 000001
式中：
Ｘ１は、１〜１６の炭素原子を含む直鎖または分岐鎖のアルキル基、トリメトキシシリル、トリメチルシリルオキシ、−Ｏ［Ｓｉ（ＣＨ３）２Ｏ−］ｎここでｎは１から９から選ばれる整数、（ＣＨ３）３Ｓｉ（ＣＨ２）ｏＣＨ２−ここでｏは０〜３の整数、（ＣＨ３）３ＳｉＣＨ２ＣＨ２Ｓｉ（ＣＨ３）２Ｏ−、または（ＣＨ３）３Ｓｉ（ＣＨ２ＣＨ２Ｓｉ（ＣＨ３）２Ｏ）ｐ−ここでｐは０〜２００から選ばれる整数、から独立して選択され；
Ｘ２は、１〜１６の炭素原子を含む直鎖または分岐鎖のアルキル基、トリメトキシシリル、トリメチルシリルオキシ、−Ｏ［Ｓｉ（ＣＨ３）２Ｏ−］ｎここでｎは１から９から選ばれる整数、（ＣＨ３）３Ｓｉ（ＣＨ２）ｏＣＨ２−ここでｏは０〜３の整数、（ＣＨ３）３ＳｉＣＨ２ＣＨ２Ｓｉ（ＣＨ３）２Ｏ−、または（ＣＨ３）３Ｓｉ（ＣＨ２ＣＨ２Ｓｉ（ＣＨ３）２Ｏ）ｐ−ここでｐは０〜２００から選ばれる整数、または−［ＯＳｉ（ＣＨ３）２］ｍＧ１から独立して選択され、ここでＧ１は（ＣＨ３）３ＳｉＯ−、または一般式（２ａ）または（２ｂ）を有する反応性または非反応性シリコーン基であり：
【化４３】
2016540087.tif 000002
【化４４】
2016540087.tif 000003
式中ｌは０〜２００から選択される整数であり；Ｘ２が式（２ａ）または２（ｂ）であるとき式（１）中のｐは０であり；
Ｘ３及びＸ５は独立して、メチル、ブチル、トリメチルシロキシ、（ＣＨ３）３ＳｉＣＨ２ＣＨ２−、（ＣＨ３）３ＳｉＣＨ２ＣＨ２Ｓｉ（ＣＨ３）２Ｏ−または−ＯＳｉ（ＣＨ３）２から選択され、但し（ｉ）Ｘ１またはＸ６が−Ｏ［Ｓｉ（ＣＨ３）２Ｏ−］ｎのときＸ３またはＸ５の一方は−ＯＳｉ（ＣＨ３）２でありＸ１がＸ３と化学結合を形成し、及び／またはＸ５がＸ６と化学結合を形成して、２価の−Ｘ１−Ｘ３−またはＸ５−Ｘ６−基を対応して形成し、それがケイ素原子と結合して環状ポリシロキサン環を形成し、及び（ｉｉ）Ｘ３及び／またはＸ５が−ＯＳｉ（ＣＨ３）２のとき、Ｘ１及び／またはＸ６は−Ｏ［Ｓｉ（ＣＨ３）２Ｏ−］ｎであり対応するＸ１がＸ３と化学結合を形成し、及び／またはＸ５がＸ６と化学結合を形成して、２価の−Ｘ１−Ｘ３−またはＸ５−Ｘ６−基を形成し、それがケイ素原子と結合して環状ポリシロキサン環を形成し；または
Ｘ１、Ｘ２、及びＸ３は任意選択的に各々が−Ｏ［Ｓｉ（Ｒ１６）Ｏ−］ｎであって相互接続されて式（２ｃ）に記載したごときポリシルセスキオキサン環を形成し、
【化４５】
2016540087.tif 000004
式中Ｒ１６は独立して直鎖または分岐鎖アルキルまたはアラルキル基から選択され；
Ｘ４はジメチルシロキシ、−Ｏ［Ｓｉ（ＣＨ３）２Ｏ−］、または−ＣＨ２ＣＨ２（ＣＨ３）２ＳｉＯ−部分から独立して選択される任意選択的な接続基であり、
ｐは０〜５から選ばれる整数であり；
Ｘ６、Ｘ７、及びＸ８は１〜１６の炭素原子を含む直鎖または分岐鎖のアルキル基、アルコキシ、トリメチルシリルオキシ、または−Ｏ［Ｓｉ（ＣＨ３）２Ｏ−］ｎ、ここでｎは１から９から選ばれる整数、から独立して選択され、ここでＸ６及びＸ７、Ｘ７及びＸ８、またはＸ６及びＸ８は環を形成してよく；
Ｒ１は、化学結合または１から１６の炭素原子を含むアルキレン基から選択され、任意選択で酸素、硫黄及び／または窒素のヘテロ原子を含み；
Ｇはシロキサン部分と反応性部分の間の架橋単位であり、直鎖または分岐鎖のアルキル基または環式炭素基から独立して選択され、Ｇ単位は任意選択的に１またはより多くのヘテロ原子を含み；
Ａはヘテロ原子であり；
Ｉは０〜１００の炭素原子を有する親水性部分でありヘテロ原子を含んでいてよく；
Ｚは式（３）の重合性基であり：
【化４６】
2016540087.tif 000005
式中Ｒ６、Ｒ７及びＲ８は独立して、水素または１〜５の炭素原子の１価の炭化水素基から選択され；そして
Ｆは１から約１６の炭素の脂肪族、脂環式、または芳香族炭化水素基から選択され、任意選択的にヘテロ原子を含有する、任意選択的な連結基であり、但しＦが用いられないとき、Ａは式（３）のカルボニル基に直接連結される。
【請求項２】
Ｇが一般式（４ａ）を有する分岐鎖アルキル部分であり、
【化４７】
2016540087.tif 000006
式中ａは０〜１６でありｂは１であるか；または
Ｇが５から１０の炭素原子を含む飽和環式炭素単位を含み、一般式：
【化４８】
2016540087.tif 000007
を有し、式中＝０〜５である、請求項１の組成物。
【請求項３】
Ｇが（ｉ）式：
【化４９】
2016540087.tif 000008
【化５０】
2016540087.tif 000009
の位置異性体またはこれらの２またはより多くの組み合わせ；または（ｉｉ）
【化５１】
2016540087.tif 000010
【化５２】
2016540087.tif 000011
【化５３】
2016540087.tif 000012
【化５４】
2016540087.tif 000013
またはこれらの２またはより多くの組み合わせから選択される、請求項２の組成物。
【請求項４】
（ｉ）Ｒ１が式（５）の構造を有する２価の基であり：
【化５５】
2016540087.tif 000014
式中Ｒ３、Ｒ４、及びＲ５は水素、１から１０の炭素原子を有する直鎖、分岐鎖、及び／または環状炭化水素基から独立して選択され、任意選択的に１またはより多くのヘテロ原子を含み；Ｒ２は１から５の炭素原子を有する炭化水素基であり；そしてｑは０から１０から選択される整数であり、
（ｉｉ）Ｉが式（６）の構造を有する親水性部分であり：  
【化５６】
2016540087.tif 000015
式中
Ｋは２価のヘテロ原子または酸素であり；
Ｌは、（ａ）置換または非置換であり、直鎖または分岐鎖であり、脂肪族または芳香族であり、任意選択的にヘテロ原子を含む、０〜５０の炭素原子を有する炭化水素から選択される２価の炭化水素基；（ｂ）アルコール、エーテル、エステル、アミド、アミン、ウレア、ウレタン、シアノ、カーボネート、カーバメート、チオール、チオエーテル、チオールエステル、またはこれらの２またはより多くの組み合わせから独立して選択される官能性から選択され；そして
Ｍは−ＣＯＯＲ、−ＮＲ２、−ＰＯ（ＯＲ）２、−ＯＰＯ（ＯＲ）２、−ＯＳＯ３Ｈ、−ＯＨから独立して選択されるイオン性基であり、ここでＲは水素または１から３の炭素原子を有するアルキル基であり、但しＬが炭素原子を含有しない官能性であるとき、Ｍ基は−ＮＲ２、−ＯＰＯ（ＯＲ）２、−ＯＳＯ３Ｈ、または−ＯＨ基を含有することができず；および／または
（ｉｉｉ）重合性基Ｚ上のＦが式（７）の構造を有し：
【化５７】
2016540087.tif 000016
式中：
ｒは０から約１５から選ばれる整数；
ＳはＯ、ＣＨ２、ＮＲ１１、及び硫黄から独立して選択される２価のヘテロ原子；
Ｊは官能基−Ｃ（Ｏ）−、−ＮＲ１２Ｃ（Ｏ）−、-ＯＣ（Ｏ）−、−ＯＳ（Ｏ）−、及び−Ｐ（Ｏ）ＯＲ１３から独立して選択され；
Ｒ９及びＲ１０は１から５の炭素原子を有する炭化水素基から独立して選択され；そして
Ｒ１１、Ｒ１２及びＲ１３は、水素または１〜５の炭素原子を有する１価の炭化水素基から独立して選択される、請求項１の組成物。
【請求項５】
α，β−不飽和化合物が（ｉ）式：
【化５８】
2016540087.tif 000017
の構造を有し、式中
Ｒ１、Ｒ６、Ｒ７、Ｒ８、Ｒ１６は独立して直鎖または分岐鎖のアルキルまたはアラルキルから選択され；
Ｇは式：
【化５９】
2016540087.tif 000018
の構造から選択され；
Ｉは以下の構造から独立して選択され：
【化６０】
2016540087.tif 000019
【化６１】
2016540087.tif 000020
【化６２】
2016540087.tif 000021
【化６３】
2016540087.tif 000022
Ｒ１４及びＲ１５は、水素、１〜２０の炭素原子を有する直鎖または分岐鎖のアルキル、アラルキル、または芳香族単位、アルカリ金属またはアルカリ土類金属アニオン、または遷移金属錯体から独立して選択され；
Ｘ−はハライド、カルボキシレート、トシレート、スルホネート、ホスフェート、フタレート、フェノレート、またはアルコキシドから独立して選択され；そして
ｔは１〜１６から選ばれる整数であり；また
Ａは酸素原子であり、Ａはカルボニル基Ｃ（Ｏ）Ｃ（Ｒ８）＝ＣＲ６Ｒ７に直接連結され；
α，β−不飽和化合物が（ｉｉ）式：
【化６４】
2016540087.tif 000023
の構造を有し、式中：
ｍは０〜２００から選択される整数であり；
Ｒ１、Ｒ６、Ｒ７、Ｒ８は独立して直鎖または分岐鎖のアルキルまたはアラルキルから選択され；
Ｇは以下の構造から選択され：
【化６５】
2016540087.tif 000024
Ｉは以下の構造から独立して選択され：
【化６６】
2016540087.tif 000025
【化６７】
2016540087.tif 000026
【化６８】
2016540087.tif 000027
【化６９】
2016540087.tif 000028
Ｒ１４及びＲ１５は、水素；１〜２０の炭素原子を有する直鎖または分岐鎖のアルキル、アラルキル、または芳香族直鎖もしくは分岐鎖単位、またはアルカリ金属もしくはアルカリ土類金属アニオンまたは遷移金属錯体から独立して選択され；
Ｘ−はハライド、カルボキシレート、トシレート、スルホネート、ホスフェート、フタレート、フェノレート、及びアルコキシドから独立して選択され；
ｔは１〜１６から選ばれる整数であり；
Ａは酸素原子であり、Ａはカルボニル基Ｃ（Ｏ）Ｃ（Ｒ８）＝ＣＲ６Ｒ７に直接連結され；
α，β−不飽和化合物が式（ｉｉｉ）：
【化７０】
2016540087.tif 000029
の構造を有し、式中：
ｎは０〜２００から選択される整数であり；
Ｒ１、Ｒ６、Ｒ７、Ｒ８は直鎖または分岐鎖アルキルまたはアラルキルから独立して選択され；
Ｇは以下の構造から選択され：
【化７１】
2016540087.tif 000030
Ｉは以下の構造から独立して選択され：
【化７２】
2016540087.tif 000031
【化７３】
2016540087.tif 000032
【化７４】
2016540087.tif 000033
【化７５】
2016540087.tif 000034
Ｒ１４及びＲ１５は、水素；１〜２０の炭素原子を有する直鎖のアルキル、アラルキル、または芳香族直鎖もしくは分岐鎖単位、またはアルカリ金属もしくはアルカリ土類金属アニオン及び／または遷移金属錯体から独立して選択され；
Ｘ−はハライド、カルボキシレート、トシレート、スルホネート、ホスフェート、フタレート、フェノレート、及びアルコキシドから独立して選択され；
ｔは１〜１６から選ばれる整数であり；そして
Ａは酸素原子であり、Ａはカルボニル基Ｃ（Ｏ）Ｃ（Ｒ８）＝ＣＲ６Ｒ７に直接連結され；または
α，β−不飽和化合物が（ｉｖ）式：
【化７６】
2016540087.tif 000035
の構造を有し、式中：
Ｒ１、Ｒ６、Ｒ７、Ｒ８、Ｒ１６は直鎖または分岐鎖のアルキルまたはアラルキルから独立して選択され；
Ｇは以下の構造から独立して選択され：
【化７７】
2016540087.tif 000036
Ｉは以下の構造から独立して選択され：
【化７８】
2016540087.tif 000037
【化７９】
2016540087.tif 000038
【化８０】
2016540087.tif 000039
【化８１】
2016540087.tif 000040
Ｒ１４及びＲ１５は、水素；１〜２０の炭素原子を有する直鎖または分岐鎖のアルキル、アラルキル、または芳香族単位、アルカリ金属もしくはアルカリ土類金属アニオンまたは遷移金属錯体から独立して選択され；
Ｘ−はハライド、カルボキシレート、トシレート、スルホネート、ホスフェート、フタレート、フェノレート、またはアルコキシドから独立して選択され；
ｔは１〜１６から選ばれる整数であり；そして
Ａは酸素原子であり、Ａはカルボニル基Ｃ（Ｏ）Ｃ（Ｒ８）＝ＣＲ６Ｒ７に直接連結される、請求項１の組成物。
【請求項６】
組成物は有機ケイ素化合物を含むコポリマーである、請求項１の組成物。
【請求項７】
コポリマーが単官能性または多官能性のプレポリマーである、請求項６の組成物。
【請求項８】
プレポリマーが、（１）有機ケイ素化合物、（２）連鎖移動剤、（３）１またはより多くの有機モノマー、及び（４）ラジカル開始剤の（メタ）アクリレート化反応生成物である、請求項７の組成物。
【請求項９】
連鎖移動剤が、２−メルカプトエタノール、２−アミノエチルメルカプタン、アルカンチオール、チオグリコール酸及びエステル、ブロモトリクロロメタン、３−メルカプトプロピオン酸及びエステル、イソオクチル３−メルカプトプロピオネート、ペンタエリスリトールテトラキス（３−メルカプトプロピオネート）、ペンタエリスリトールテトラキス（３−メルカプトプロピオネート）、トリメチロールプロパントリス（３−メルカプトプロピオネート）、４，４’−チオビスベンゼンチオール、ヨードニトリル、その他から選択される、請求項８の組成物。
【請求項１０】
組成物がハイドロゲルである、請求項１の組成物。
【請求項１１】
フリーラジカル重合性有機モノマー、開始剤、及び任意選択的に架橋剤をさらに含む、請求項１０の組成物。
【請求項１２】
フリーラジカル重合性有機モノマーが、ビニル系モノマー、アクリライドモノマー、アクリル系モノマー、またはこれらの２またはより多くの組み合わせから選択される、請求項１１の組成物。
【請求項１３】
ビニル系モノマーが、Ｎ−ビニル−ピロリドン、Ｎ−ビニル−カプロラクタム、Ｎ−ビニル−アセトアミド、Ｎ−ビニル−ホルムアミド、Ｎ−ビニル−イソプロピルアミド、ビニルベンゼン、ビニルナフタレン、ビニルピリジン、ビニルアルコール、ビニル含有シリコーン、またはこれらの２またはより多くの組み合わせから選択される、請求項１２の組成物。
【請求項１４】
アクリル系モノマーが、２−ヒドロキシエチルメタクリレート（ＨＥＭＡ）、２−ヒドロキシエチル−アクリレート（ＨＥＡ）、ヒドロキシプロピルメタクリレート、トリメチルアンモニウム、２−ヒドロキシプロピルメタクリレート塩酸塩、ジメチルアミノエチルメタクリレート、グリセロールメタクリレート、Ｎ，Ｎ−ジメチルアクリルアミド、Ｎ−イソプロピルアクリルアミド、アクリルアミド、メタクリルアミド、アクリル酸、メタクリル酸、アクリレート化親水性または疎水性オルガノシリコーン、またはこれらの２またはより多くの組み合わせから選択される、請求項１０の組成物。
【請求項１５】
親水性シリコーンマクロマーが、ハイドロゲル組成物の約５重量パーセントから約５０重量パーセントの量で存在する、請求項１０の組成物。
【請求項１６】
親水性シリコーンマクロマーのフリーラジカル重合性有機モノマーに対する比率が（ｉ）１：１００から１００：１；（ｉｉ）１：５０から５０：１；（ｉｉｉ）１：１０から１０：１；または（ｉｖ）１：１である、請求項１５の組成物。
【請求項１７】
エチレングリコールジメタクリレート、トリメチロールプロパントリタクリレート、ジエチレングリコールジメタクリレート、ビスフェノールＡジメタクリレート、ジグリシジルビスフェノールＡジメタクリレート、ジメタクリレート末端ポリエチレングリコール、反応性直鎖または側鎖ポリエーテル変性シリコーン、またはこれらの２またはより多くの組み合わせから選択される架橋剤を任意選択的に含み、および／または組成物が、２，２’−アゾビス（２，４−ジメチルペンタンニトリル）、２，２’−アゾビス（２−メチルプロパンニトリル）、２，２’−アゾビス（２−メチルブタンニトリル）、ベンゾイルパーオキシドのごとき過酸化物、ベンゾインメチルエーテル、ジエトキシアセトフェノン、ベンゾイルホスフィンオキシド、２−ヒドロキシ−２−メチルプロピオフェノン（ＨＭＰＰ）、１−ヒドロキシシクロヘキシルフェニルケトン、Ｄａｒｏｃｕｒ型、Ｉｒｇａｃｕｒｅ型、またはこれらの２またはより多くの組み合わせから選択される熱または光開始剤を含む、請求項１０の組成物。
【請求項１８】
請求項１０の組成物から形成されるハイドロゲルフィルムを含むコンタクトレンズ。
【請求項１９】
繊維製品、紙類、皮革、パーソナルケア、ヘルスケア、ホームケア、コーティング、塗料、または種子処理用配合物におけるフィルム形成性添加剤である、請求項１０のいずれかによる組成物。